【手続補正書】
【提出日】平成25年12月25日(2013.12.25)
【手続補正１】
【補正対象書類名】特許請求の範囲
【補正対象項目名】全文
【補正方法】変更
【補正の内容】
【特許請求の範囲】
【請求項１】
シートを排出する排出手段と、
前記排出手段が排出したシートを積載するシート積載部と、
上下に回動自在、かつ、シートの排出方向と直交する幅方向に移動自在に支持された一対の整合アームと、前記一対の整合アームの先端に上下に回動自在に支持された一対の整合部材と、を有する一対の整合手段と、
前記一対の整合アームを回動させ、かつ幅方向に移動させる駆動手段と、
前記駆動手段を制御する制御部と、を備え、
前記制御部は、前記排出手段が排出したシートを、前記シート積載部に既に積載されたシートに対して幅方向にずれた位置で整合する際、前記一対の整合部材の一方が前記シート積載部に既に積載されたシートの上面に当接して上方に回動するよう前記一対の整合アームを下方に回動させ、前記一対の整合部材の一方と、前記シート積載部に既に積載されたシートに当接しない前記一対の整合部材の他方と、で排出されたシートを幅方向に整合するよう前記駆動手段を制御する、
ことを特徴とするシート積載装置。
【請求項２】
前記一対の整合アームは、２以上の回動支点を有し、前記一対の整合部材がシート又は前記シート積載部に当接すると、屈曲自在に構成される、
ことを特徴とする請求項１に記載のシート積載装置。
【請求項３】
前記一対の整合部材は、シート又は前記シート積載部に当接すると当接した状態を維持したまま回動支点を中心に上方に回動する、
ことを特徴とする請求項１又は２に記載のシート積載装置。
【請求項４】
前記シート積載部は、積載面の少なくとも両側に、前記一対の整合部材が、積載されたシートより下方に進入し、かつ、前記幅方向に移動可能となるようにくぼんだ凹状部を有する、
ことを特徴とする請求項１から３のいずれか１項に記載のシート積載装置。
【請求項５】
前記一対の整合部材のそれぞれは、前記凹状部のくぼみ形状に沿うように形成された稜線を有する、
ことを特徴とする請求項４に記載のシート積載装置。
【請求項６】
前記一対の整合部材のそれぞれは、回動支点から該回動支点と先端部との間の中央部に向けて上下方向の幅が広くなると共に、前記中央部から前記先端部に向けて、前記凹状部のくぼみ形状に沿った前記稜線によって上下方向の幅が狭くなるように形成される、
ことを特徴とする請求項５に記載のシート積載装置。
【請求項７】
前記一対の整合部材のそれぞれは、前記一対の整合アームのそれぞれの先端を挟み込み、前記一対の整合部材のそれぞれを回動方向に案内する溝部を有し、
前記溝部は、前記稜線より排出方向上流側の幅の広い領域に形成される、
ことを特徴とする請求項６に記載のシート積載装置。
【請求項８】
前記一対の整合部材のそれぞれが回動するための回動支点は、前記一対の整合部材の一方が回動して前記一対の整合部材の他方とで対向面を構成する際に、前記凹状部のくぼみ形状の最下部における法線よりも排出方向上流側に位置する、
ことを特徴とする請求項５から７のいずれか１項に記載のシート積載装置。
【請求項９】
前記排出手段は、排出ローラ対であり、
前記一対の整合部材のそれぞれが回動するための回動支点は、前記排出ローラ対が形成するニップ線よりも下方に位置する、
ことを特徴とする請求項１から８のいずれか１項に記載のシート積載装置。
【請求項１０】
前記一対の整合アームがシートを整合する整合位置へと回動して、前記一対の整合部材がシートに当接して上方に回動した際に、前記一対の整合アームの最下部が、前記積載部の積載面より所定量上方に位置する、
ことを特徴とする請求項１から９のいずれか１項に記載のシート積載装置。
【請求項１１】
前記一対の整合部材の一方が回動して前記一対の整合部材の他方とで対向面を構成する際の前記一対の整合部材の一方の回動支点は、前記一対の整合部材の一方とで対向面を構成する際の前記一対の整合部材の他方の回動支点から前記シート積載部の積載面へと垂直に下ろした直線よりも排出方向下流側に位置する、
ことを特徴とする請求項１から１０のいずれか１項に記載のシート積載装置。
【請求項１２】
前記排出手段の排出方向の上流に、シートを排出方向と直交する幅方向にシフトさせるシフト処理部を備え、前記整合手段は、前記シフト処理部によりシフト処理されたシートを整合する、
ことを特徴とする請求項１から１１のいずれか１項に記載のシート積載装置。
【請求項１３】
シートに画像を形成する画像形成部と、
前記画像形成部によって画像が形成されたシートを整合処理する請求項１から１２のいずれか１項に記載のシート積載装置と、を備えた、
ことを特徴とする画像形成装置。
【請求項１４】
シートを排出する排出手段と、
前記排出手段が排出したシートを積載するシート積載部と、
上下に回動自在、かつ、シートの排出方向と直交する幅方向に移動自在に支持された一対の整合アームと、前記シート積載部に積載されたシートの上面に当接して上方に回動するように、前記一対の整合アームの先端に支持された一対の整合部材と、を有する一対の整合手段と、を備えた、
ことを特徴とするシート積載装置。
【請求項１５】
前記一対の整合アームは、２以上の回動支点を有し、前記一対の整合部材がシート又は前記シート積載部に当接すると、屈曲自在に構成される、
ことを特徴とする請求項１４に記載のシート積載装置。
【請求項１６】
前記一対の整合部材は、シート又は前記シート積載部に当接すると当接した状態を維持したまま回動支点を中心に上方に回動する、
ことを特徴とする請求項１４又は１５に記載のシート積載装置。
【請求項１７】
前記シート積載部は、積載面の少なくとも両側に、前記一対の整合部材が、積載されたシートより下方に進入し、かつ、前記幅方向に移動可能となるようにくぼんだ凹状部を有する、
ことを特徴とする請求項１４から１６のいずれか１項に記載のシート積載装置。
【請求項１８】
前記一対の整合部材のそれぞれは、前記凹状部のくぼみ形状に沿うように形成された稜線を有する、
ことを特徴とする請求項１７に記載のシート積載装置。
【請求項１９】
前記一対の整合部材のそれぞれは、回動支点から該回動支点と先端部との間の中央部に向けて上下方向の幅が広くなると共に、前記中央部から前記先端部に向けて、前記凹状部のくぼみ形状に沿った前記稜線によって上下方向の幅が狭くなるように形成される、
ことを特徴とする請求項１８に記載のシート積載装置。
【請求項２０】
前記一対の整合部材のそれぞれは、前記一対の整合アームのそれぞれの先端を挟み込み、前記一対の整合部材のそれぞれを回動方向に案内する溝部を有し、
前記溝部は、前記稜線より排出方向上流側の幅の広い領域に形成される、
ことを特徴とする請求項１９に記載のシート積載装置。
【請求項２１】
前記一対の整合部材のそれぞれが回動するための回動支点は、前記一対の整合部材の一方が回動して前記一対の整合部材の他方とで対向面を構成する際に、前記凹状部のくぼみ形状の最下部における法線よりも排出方向上流側に位置する、
ことを特徴とする請求項１８から２０のいずれか１項に記載のシート積載装置。
【請求項２２】
前記排出手段は、排出ローラ対であり、
前記一対の整合部材のそれぞれが回動するための回動支点は、前記排出ローラ対が形成するニップ線よりも下方に位置する、
ことを特徴とする請求項１から２１のいずれか１項に記載のシート積載装置。
【請求項２３】
前記一対の整合アームがシートを整合する整合位置へと回動して、前記一対の整合部材がシートに当接して上方に回動した際に、前記一対の整合アームの最下部が、前記積載部の積載面より所定量上方に位置する、
ことを特徴とする請求項１から２２のいずれか１項に記載のシート積載装置。
【請求項２４】
前記一対の整合部材の一方が回動して前記一対の整合部材の他方とで対向面を構成する際の前記一対の整合部材の一方の回動支点は、前記一対の整合部材の一方とで対向面を構成する際の前記一対の整合部材の他方の回動支点から前記シート積載部の積載面へと垂直に下ろした直線よりも排出方向下流側に位置する、
ことを特徴とする請求項１から２３のいずれか１項に記載のシート積載装置。
【請求項２５】
前記排出手段の排出方向の上流に、シートを排出方向と直交する幅方向にシフトさせるシフト処理部を備え、前記整合手段は、前記シフト処理部によりシフト処理されたシートを整合する、
ことを特徴とする請求項１から２４のいずれか１項に記載のシート積載装置。
【請求項２６】
シートに画像を形成する画像形成部と、
前記画像形成部によって画像が形成されたシートを整合処理する請求項１３から２５のいずれか１項に記載のシート積載装置と、を備えた、
ことを特徴とする画像形成装置。